(57)【要約】【課題】継電器を端子台の一側に配置することにより回線配置を簡単化し、コストを大幅に削減し、製作の利便性を向上させることを可能にする過熱保護機能を有する端子台を提供する。【解決手段】過熱保護機能を有する端子台３１は一端に電源に接続可能な入力端３２を有し、他端に電機設備（例えば空調機など）に接続可能な出力端３３を有する。端子台３１は内部に温度センサー３４、端子台の回路と継電器３５を有し、温度センサー３４は少なくとも間接連接方法により端子台３１の回路に接続され、継電器３５は入力端３２、端子台の回路と出力端３３に接続される。【選択図】図２
0003135586.tif 000002
【実用新案登録請求の範囲】
【請求項１】
一端に電源に接続可能な入力端を有し、他端に出力端を有し、出力端は電機設備に接続可能な複数の接続端子を有するため電機設備は端子台を介して電源に電気的に接続することが可能で、電源は電機設備に電気を供給することが可能であり、端子台は内部に温度センサーと継電器を有し、温度センサーは少なくとも間接連接方法で端子台の回路に接続され、継電器は端子台の一側に位置付けられ、かつ入力端、端子台の回路と出力端に接続するため、配線または装着不良が原因で配線の電線と端子台の接続端子との接触面と当接する力が減少して接触面の温度が異常に上昇する現象が発生し、かつ温度が温度センサーの制限温度を超えた時、温度センサーの感知信号は出力端の電機設備を介して継電器を起動し、電源供給を遮断することにより、配線または装着が不良な時に温度が異常に上昇し、アークにより火事が発生したり電機設備に損壊を与えてしまう事態を防止することが可能なことを特徴とする過熱保護機能を有する端子台。
【請求項２】
端子台はプラスチック製の絶縁材質にすることが可能なことを特徴とする請求項１に記載の過熱保護機能を有する端子台。
【請求項３】
入力端は電源に接続可能なプラグを有することを特徴とする請求項１に記載の過熱保護機能を有する端子台。
【請求項４】
入力端のそれぞれの接続端子は締め付け可能なユニットにすることが可能であり、電機設備は締め付け可能なユニットにより締め付けられ、端子台に接続することが可能であることを特徴とする請求項１に記載の過熱保護機能を有する端子台。
【請求項５】
温度センサーは継電器に接続され、継電器は入力端と端子台の回路に接続されることを特徴とする請求項１に記載の過熱保護機能を有する端子台。
【考案の詳細な説明】
【技術分野】
【０００１】
本考案は過熱保護機能を有する端子台、詳しく言えば端子台に継電器と温度センサーを配置することにより配線または装着が不良な時に電流をオーバーさせ、温度の異常な上昇が発生した場合に温度センサーの感知信号を介して継電器を直接起動し、電気を遮断して端子台に接続される電機設備に損害を与えることを防止することが可能な構造に関するものである。
【背景技術】
【０００２】
早期の電機設備（例えば空調機など）の室内機において、端子台は過熱保護機能を有し、内部の過熱保護回路はスイッチを介して継電器に接続されていたが、コストがかかるため、こうしたスイッチの設置自体が業界において排除され、それとともにこのような技術も採用されなくなった。
図１Ａに示すのは以前、日本の業界でいくつかのメーカーが採用した過熱保護機能を有する端子台である。端子台２０と継電器２１（市販品）はＰＣＢ板２２上に配置される。占有空間が比較的小さいことは長所であるが、欠点は電流が大きいことが原因でＰＣＢ板を特殊製作する（内部に厚い銅箔を埋め込む）必要があるためコストが高くなることである。
【０００３】
図１Ｂに示すのは別の過熱保護機能を有する端子台である。端子台１１は一端に入力端１２を有し、入力端１２は電源に接続可能な複数の接続端子１２１を有する。端子台１１の他端は出力端子１３を有し、出力端子１３は電機設備（例えば空調機など）に接続可能な複数の接続端子１３１を有する。これにより電機設備は端子台１１を介して電源に電気的に接続することが可能であり、電源は電機設備に電源を供給することが可能である。また端子台１１は内部に温度センサー１４を有し、温度センサー１４は端子台１１の回路に接続され、かつ端子台１１の一側に位置する継電器１５に接続され、継電器１５は金属板の回路１５１を介して端子台１１の回路に電気的に接続される。これにより、配線または装着が不良な時に電流をオーバーさせ、温度を異常に上昇させるような現象が発生した場合、温度センサー１４の感知信号は直接継電器１５を起動して電源供給を遮断するため、過大な電流が電機設備に流れ込み、電機設備に損傷を与えることを防止することが可能である。
【０００４】
上述の過熱保護機能を有する端子台の長所は占有空間が小さく、端子台と継電器の間の配線またはＰＣＢ板を省略することが可能なことである。その欠点は大電流（大アンペア）下で正常な稼動を維持するには大電流に耐えられるような厚い金属板回路１５１を介して端子台１１の回路との電気的な接続を図るため、回線配置がより複雑になり、かつ金属板回路１５１が多すぎるためコストが高く、製造が難しく、専用のケースが必要なため市販の継電器を使用できないことである。
【考案の開示】
【考案が解決しようとする課題】
【０００５】
本考案者は前述の先行技術の欠点に鑑み、端子台の製造に携わってきた経験と技術に基づき、様々な解決法を立てながら研究、実験と改良を重ねた結果、画期的で過熱保護機能を有する端子台を考案した。これにより先行技術の欠点の改善を図ろうとする。
本考案の主な目的は継電器を端子台の一側に配置することにより回線配置を簡単化し、コストを大幅に削減し、製作の利便性を向上させることを可能にする過熱保護機能を有する端子台を提供することである。
【課題を解決するための手段】
【０００６】
上述の目的を達成するために、本考案による過熱保護機能を有する端子台は一端に電源に接続可能な入力端を有し、他端に電機設備（例えば空調機など）に接続可能な出力端を有する。端子台は内部に温度センサー、端子台の回路と継電器を有し、温度センサーは少なくとも間接連接方法により端子台の回路に接続され、継電器は入力端、端子台の回路と出力端に接続される。このため、配線または装着が不良なことが原因で配線の電線と端子台の接続端子との接触面と当接する力が減少すると接触面の温度が異常に上昇する現象が発生し、かつ温度が温度センサーの制限温度を超えた時、温度センサーの感知信号は出力端の電機設備を介して継電器を起動し、電源供給を遮断することが可能である。これにより配線または装着が不良な時に温度が異常に上昇し、アークにより火事が発生したり電機設備に損壊を与えてしまう事態を防止する。上述した通り、継電器を端子台の一側に配置することにより回線配置を簡単化し、コストを大幅に削減し、製作上の利便性を向上させるという目的を達成することが可能である。
【考案を実施するための最良の形態】
【０００７】
本考案の目的、形、構造の特徴と効果を以下の実施例と図面に基づいて説明する。
（第１実施例）
図２、図３と図４に示すのは本考案による「過熱保護機能を有する端子台」である。（本考案の一実施例では、端子台３１はプラスチック製の絶縁材質にすることが可能である。）端子台３１の一端は電源に接続可能な入力端３２を有し、端子台３１の他端は出力端子３３を有し、出力端子３３は電機設備（例えば空調機など）に接続可能な複数の接続端３３１を有する。これにより電機設備は端子台３１を介して電源に電気的に接続することが可能であり、電源は電機設備に電気を供給することが可能である。また端子台３１は内部に温度センサー３４と継電器３５を有し、そのうち温度センサー３４は端子台３１の回路に接続され、継電器３５は端子台３１の一側に位置付けられ、かつ入力端３２、端子台３１の回路と出力端３３に接続される。
【０００８】
これにより、配線または装着が不良なことが原因で配線の電線と端子台３１の接続端子３３１との接触面と当接する力が減少すると接触面の温度が異常に上昇する現象が発生し、かつ温度が温度センサー３４の制限温度を超えた時、温度センサー３４の感知信号は出力端３３の電機設備を介して継電器３５を起動し、電源供給を遮断する。このため配線または装着が不良な時に温度が異常に上昇し、アークにより火事が発生したり電機設備に損壊を与えてしまう事態を防止することが可能である。上述した通り、継電器を端子台の一側に配置することにより回線配置を簡単化し、コストを大幅に削減し、製作上の利便性を向上させ、体積全体を大幅に縮小することが可能である。
【０００９】
図２、図３と図４に示すように入力端３２は電源の差込口に差し込み可能なプラグ３２１を有する。端子台３１の回路は回線末端に端子３３３を配置することにより、端子３３３を介して継電器３５と接続端子３３１に接続することが可能であり、あるいは端子台３１の回路は直接回線末端を継電器３５と接続端３３１上に半田付けすることにより継電器３５と接続端子３３１に接続することが可能である。温度センサー３４は端子台３１内の温度を感知し、かつ温度が規制の温度（例えば８５℃）を超えた時、感知信号を生じることにより継電器３５を起動し、電源供給を遮断することが可能である。
【００１０】
（別の実施例）
図５に示すように、本考案の別の実施例では、出力端子３３のそれぞれの接続端子３３１は締め付け可能なユニット５１（例えばねじ）にすることが可能である。これにより電機設備は締め付け可能なユニット５１により締め付け、端子台３１に接続することが可能となる。
図６に示すように、本実施例では、端子台３１の一端は電源に接続可能な入力端３２を有し、端子台３１の他端は出力端子３３を有し、出力端子３３は電機設備（例えば空調機など）に接続可能な複数の接続端３３１を有する。これにより電機設備は端子台３１を介して電源に電気的に接続することが可能であり、電源は電機設備に電気を供給することが可能である。また端子台３１は内部に温度センサー３４と継電器３５を有し、そのうち温度センサー３４は継電器３５に接続され、継電器３５は端子台３１の一側に位置付けられ、かつ入力端３２と端子台３１の回路に接続される。
【００１１】
これにより、配線または装着が不良なことが原因で配線の電線と端子台３１の接続端子３３１との接触面と当接する力が減少すると接触面の温度が異常に上昇する現象が発生し、かつ温度が温度センサー３４の制限温度を超えた時、温度センサー３４の感知信号は直接継電器３５を起動し、電源供給を遮断する。このため配線または装着が不良な時に温度が異常に上昇し、アークにより火事が発生したり電機設備に損壊を与えてしまう事態を防止することが可能である。上述した通り、継電器を端子台の一側に配置することにより回線配置を簡単化し、コストを大幅に削減し、製作上の利便性を向上させ、体積全体を大幅に縮小することが可能である。
【００１２】
本考案による過熱保護機能を有する端子台は明らかに画期的な構造を有し、かつ任意の刊行物に掲示されたことがなく、市販品の中では任意の類似品がなかったため、疑いなく新規性を有すると考えられる。また本考案の独特の特徴と機能は周知のものから至るものでなく、かつ周知のものと比べて明らかに進歩性を有するため、実用新案登録請求の要件と規定を満たすと考えられる。
【００１３】
また上述したものは本考案の好ましい例に過ぎず、本考案の構造と特徴を制限することができないため、この技術を熟知している人が本考案の領域を逸脱しない限り任意の変化または修正を行うことは本考案の主張範囲に属すべきである。
【図面の簡単な説明】
【００１４】
【図１Ａ】従来の端子台の立体図である。
【図１Ｂ】従来の端子台の分解図である。
【図２】本考案の一実施例による端子台の外観図である。
【図３】本考案の一実施例による端子台の一部分のユニットを示す模式図である。
【図４】本考案の一実施例による端子台の回路図である。
【図５】本考案の別の実施例による端子台の回路図である。
【図６】本考案の別の実施例による端子台の回路図である。
【符号の説明】
【００１５】
３１  端子台、  ３２  入力端、  ３３  出力端、  ３３１  接続端子、３３３  端子、  ３４  温度センサー、  ３５  継電器、  ３２１  プラグ、５１  締め付け可能なユニット
【図１Ａ】
0003135586.tif 000003
【図１Ｂ】
0003135586.tif 000004
【図２】
0003135586.tif 000005
【図３】
0003135586.tif 000006
【図４】
0003135586.tif 000007
【図５】
0003135586.tif 000008
【図６】
0003135586.tif 000009